(57)【特許請求の範囲】
【請求項１】
カメラのホットシューに挿入される挿入部を備えた脚部と、
前記脚部の内部に配置され突起部を備えた移動部材と、
前記脚部に配置され前記移動部材を移動する操作手段と、
を有し、
前記移動部材は導電性の金属により形成されており、且つ前記移動部材には基準電位線が接続されており、
前記操作手段は、前記脚部の前記ホットシューへの装着時に、前記移動部材の前記突起部を前記ホットシューの内壁面に押圧し、前記脚部の前記ホットシューからの離脱時に、前記ホットシューの内壁面への押圧を解除することを特徴とする閃光装置。
【請求項２】
請求項１記載の閃光装置において、
前記操作手段は、
前記移動部材を前記ホットシュー側に付勢する付勢手段と、
前記脚部に回動可能に配置され回動による変位部の移動により前記移動部材を前記ホットシューと反対側に移動し前記突起部を前記ホットシューの内壁上面に押圧する操作軸と、
を有することを特徴とする閃光装置。
【請求項３】
請求項２記載の閃光装置において、
前記操作手段は、前記操作軸の先端が嵌合され、前記挿入部の上面に当接される支持部材を有することを特徴とする閃光装置。
【請求項４】
請求項１記載の閃光装置において、
前記操作手段は、前記移動部材を前記ホットシューと反対側に付勢する付勢手段と、
前記脚部に回動可能に配置され回動による変位部の移動により前記移動部材を前記ホットシュー側に移動し前記突起部を前記ホットシューの内壁下面に押圧する操作軸と、
を有することを特徴とする閃光装置。
【発明の詳細な説明】
【０００１】
【発明の属する技術分野】
本発明は、カメラのホットシューに装着されて使用される閃光装置に関する。
【０００２】
【従来の技術】
従来、カメラのホットシューに装着されて使用される閃光装置として、例えば、特開平９−４３６８３号公報に開示されるものが知られている。
この閃光装置では、閃光装置の脚部にロックナットが配置されている。
そして、脚部をホットシューに挿入した状態で、ロックナットを回動することにより、脚部から特別に用意されたロックピンが突出し、ホットシューに特別に用意されたピン穴にロックピンが係止される。
【０００３】
【発明が解決しようとする課題】
しかしながら、このような従来の閃光装置では、閃光装置をカメラのホットシューに固定するためには、閃光装置の脚部のロックピンに対応するピン穴が、ホットシュー側に形成されている必要があり、ピン穴が用意されていない通常のカメラに閃光装置を固定することが困難になるという問題があった。
【０００４】
また、特開昭６２−１２３４３５号公報では、専用のロックピンとロック穴を使わずに、カメラのホットシュー外上面を押圧して摩擦で固定する方法が提案されているが、カメラの外観部分を傷付ける恐れがあるので、強く確実な固定を期待できない。
本発明は、かかる従来の問題を解決するためになされたもので、カメラのホットシューに、脚部を容易，確実に固定することができる閃光装置を提供することを目的とする。
【０００５】
【課題を解決するための手段】
請求項１の閃光装置は、カメラのホットシューに挿入される挿入部を備えた脚部と、前記脚部の内部に配置され突起部を備えた移動部材と、前記脚部に配置され前記移動部材を移動する操作手段とを有し、前記移動部材は導電性の金属により形成されており、且つ前記移動部材には基準電位線が接続されており、前記操作手段は、前記脚部の前記ホットシューへの装着時に、前記移動部材の前記突起部を前記ホットシューの内壁面に押圧し、前記脚部の前記ホットシューからの離脱時に、前記ホットシューの内壁面への押圧を解除することを特徴とする。
【０００６】
請求項２の閃光装置は、請求項１記載の閃光装置において、前記操作手段は、前記移動部材を前記ホットシュー側に付勢する付勢手段と、前記脚部に回動可能に配置され回動による変位部の移動により前記移動部材を前記ホットシューと反対側に移動し前記突起部を前記ホットシューの内壁上面に押圧する操作軸とを有することを特徴とする。
【０００７】
請求項３の閃光装置は、請求項２記載の閃光装置において、前記操作手段は、前記操作軸の先端が嵌合され、前記挿入部の上面に当接される支持部材を有することを特徴とする。
請求項４の閃光装置は、請求項１記載の閃光装置において、前記操作手段は、前記移動部材を前記ホットシューと反対側に付勢する付勢手段と、前記脚部に回動可能に配置され回動による変位部の移動により前記移動部材を前記ホットシュー側に移動し前記突起部を前記ホットシューの内壁下面に押圧する操作軸とを有することを特徴とする。
【０００９】
（作用）
請求項１の閃光装置では、脚部のホットシューへの装着時には、脚部の挿入部がカメラのホットシューに挿入され、操作手段を操作することにより、移動部材の突起部がホットシューの内壁面に押圧され、これにより脚部がホットシューに強固に固定される。
【００１０】
一方、脚部のホットシューからの離脱時には、操作手段を操作することにより、移動部材の突起部がホットシューの内壁面への押圧から解除され、脚部をホットシューから離脱することが可能になる。
また、請求項１の閃光装置では、移動部材が導電性の金属により形成され、移動部材に基準電位線が接続される。そして、基準電位線が、移動部材の突起部を介して、ホットシュー側に電気的に導通される。
請求項２の閃光装置では、脚部の挿入部をホットシューに挿入した状態で、操作手段の操作軸を回動すると、操作軸の変位部が移動される。
【００１１】
そして、変位部により移動部材がホットシューと反対側に、付勢手段の付勢力に抗して移動され、移動部材の突起部がホットシューの内壁上面に押圧される。
請求項３の閃光装置では、操作手段の操作軸の先端が支持部材に嵌合され、支持部材が、付勢手段を介して挿入部の上面に押圧状態で当接される。
そして、支持部材を介して操作軸の先端が挿入部の上面に確実に支持される。
【００１２】
請求項４の閃光装置では、脚部の挿入部をホットシューに挿入した状態で、操作手段の操作軸を回動すると、操作軸の変位部が移動される。
そして、変位部により移動部材がホットシュー側に移動され、移動部材の突起部がホットシューの内壁下面に押圧される。
【００１４】
【発明の実施の形態】
以下、本発明の詳細を図面に示す実施形態について説明する。
【００１５】
（第１の実施形態）
図１ないし図３は、本発明の閃光装置の第１の実施形態を示している。
これ等の図において符号１１は、閃光装置の脚部を示している。
この脚部１１には、閃光装置の図示しない本体部が固定される。
脚部１１は、脚部本体１３と、外側部材１５と、操作手段１７とを有している。
【００１６】
脚部本体１３は、鉄，銅合金等の金属により形成されている。
そして、脚部本体１３は、カメラのホットシュー１９に挿入される挿入部１３ａと、この挿入部１３ａに直角に一体形成される支持部１３ｂとを有している。
支持部１３ｂの上部は、所定角度で折曲され、図示しない閃光装置の本体部が固定される取付部１３ｃとされている。
【００１７】
脚部本体１３の外側には、外側部材１５が配置されている。
この外側部材１５は、樹脂により形成されている。
外側部材１５は、１５ａ，１５ｂ，１５ｃの３つの部材から構成されており、脚部本体１３の支持部１３ｂの外側を覆う背面部１５ａと、この背面部１５ａの両側に一体形成される側面部１５ｂとを有している。
【００１８】
そして、側面部１５ｂは、脚部本体１３の挿入部１３ａの両側に対向して位置されている。
そして、側面部１５ｂの間に底面部１５ｃが形成されている。
操作手段１７は、脚部本体１３の挿入部１３ａに略平行に配置される操作軸２１と、この操作軸２１を回動するための操作部材２３とを有している。
【００１９】
操作軸２１は、脚部本体１３の支持部１３ｂに形成される貫通穴１３ｄ、および、外側部材１５の背面部１５ａに形成される貫通穴１５ｄに、回動可能に嵌挿されている。
操作軸２１は、外側部材１５の背面部１５ａから突出され、この突出部２１ａに、操作部材２３が固定されている。
【００２０】
操作部材２３には、穴部２３ａが形成され、この穴部２３ａに操作軸２１の突出部２１ａが嵌挿されている。
そして、操作部材２３が、ビス２５により操作軸２１の突出部２１ａに固定されている。
操作部材２３の裏面には、案内溝２３ｂが形成されている。
【００２１】
この案内溝２３ｂは、図４に示すように、操作部材２３の中心から所定半径の位置に円弧状に、９０度の角度にわたって形成されている。
案内溝２３ｂには、ピン部材２７が挿入され、ピン部材２７が脚部本体１３の支持部１３ｂに固定されている。
従って、操作部材２３は、案内溝２３ｂの一端から他端まで、９０度の角度だけ回動が許容される。
【００２２】
また、操作部材２３の裏面側には、クリック機構２９が配置されている。
このクリック機構２９は、操作部材２３に形成される穴部２３ｄに、ボール３１とコイルスプリング３３とを収容して構成されている。
そして、外側部材１５の背面部１５ａに形成される穴部１５ｅに、ボール３１を落とすことによりクリック動作が行われる。
【００２３】
外側部材１５の背面部１５ａには、９０度の角度を置いて穴部１５ｅが形成されており、ピン部材２７が操作部材２３の案内溝２３ｂの一端および他端に当接する位置の近傍においてクリック動作が行われる。
操作部材２３の外周には、図４に示したように、指掛け部２３ｃが一体形成されている。
【００２４】
そして、指掛け部２３ｃが、左端に位置する時が、ホットシュー１９への閃光装置の装着の解除状態とされる。
また、指掛け部２３ｃが、右端に位置する時が、ホットシュー１９への閃光装置の装着状態とされる。
【００２５】
操作軸２１における脚部本体１３の支持部１３ｂの内側となる位置には、環状溝２１ｂが形成されている。
この環状溝２１ｂには、Ｅリング３５が配置され、操作軸２１の支持部１３ｂからの抜けが防止されている。
脚部１１内に位置する操作軸２１の先端には、嵌合部２１ｃが形成されている。
【００２６】
この嵌合部２１ｃは、金属からなる支持部材３７の貫通穴３７ａに嵌挿されている。
支持部材３７は、図３に示すように、矩形状をしている。
そして、その両側縁部を、外側部材１５の側面部１５ｂに形成される溝部１５ｆに、上下方向に移動可能に挿入されている。
【００２７】
支持部材３７の下部には、水平方向に間隔を置いて突出部３７ｂが形成され、突出部３７ｂの下面が、挿入部１３ａの上面に当接されている。
操作軸２１における嵌合部２１ｃの内側には、変位部であるカム部２１ｄが形成されている。
このカム部２１ｄは、移動部材３９の貫通穴３９ａに挿通されている。
【００２８】
移動部材３９は、図２に示すように、矩形状をしている。
そして、その両側縁部を、外側部材１５の側面部１５ｂに形成される溝部１５ｈに、上下方向に移動可能に挿入されている。
移動部材３９の上部には、操作軸２１のカム部２１ｄが挿通される矩形状の貫通穴３９ａが形成されている。
【００２９】
カム部２１ｄは、操作軸２１の半径に対応する直径を有する断面円形状とされており、操作軸２１の半部側に偏って位置されている。
すなわち、この実施形態では、操作軸２１の水平方向の中心線とカム部２１ｄの水平方向の中心線とが重なるように位置され、操作軸２１の垂直方向の中心線と操作軸２１の外周との間にカム部２１ｄが位置されている。
【００３０】
そして、貫通穴３９ａを横切って、付勢手段である板バネ４１が配置されている。
移動部材３９の上部の両側には、保持部３９ｂが形成され、この保持部３９ｂに板バネ４１の両側が保持されている。
移動部材３９の下部には、水平方向に間隔を置いて突出部３９ｃが形成されている。
【００３１】
この突出部３９ｃの先端は、ホットシュー１９の内側において外側に向けて折曲されている。
そして、折曲部３９ｄの上面に、ホットシュー１９の内壁上面１９ａに向けて突出する突起部３９ｅが形成されている。
突起部３９ｅは、三角形状に形成されている。
【００３２】
なお、この突起部の形状は、例えば、半円形状でも良い。
移動部材３９は、導電性の金属により形成されている。
そして、移動部材３９の上端には、基準電位線４２が接続されている。
また、ホットシュー１９の下面には、カメラ側の基準電位線４３が接続されている。
【００３３】
なお、図１において、符号４５は、閃光装置の本体部側のカバー部材を示している。
以下、上述した閃光装置の動作について説明する。
上述した閃光装置では、指掛け部２３ｃが、図４の左端に位置する時が、ホットシュー１９への閃光装置の装着の解除状態とされる。
【００３４】
そして、この解除状態では、図１および図２に示したように、操作軸２１のカム部２１ｄが、操作軸２１の中心の側方に位置されている。
そして、移動部材３９は、カム部２１ｄにより下方に移動され、ホットシュー１９の内壁上面１９ａと移動部材３９の突起部３９ｅとの間に所定の間隙が形成されている。
【００３５】
従って、ホットシュー１９への脚部１１の装着を自在に行うことが可能である。
そして、この状態から、指掛け部２３ｃを、図４の矢符Ａ方向に９０度移動すると、指掛け部２３ｃが右端に位置し、この時が、ホットシュー１９への閃光装置の装着状態とされる。
図５および図６は、この装着状態を示すもので、この装着状態では、操作軸２１のカム部２１ｄが、操作軸２１の中心の上方に位置されている。
【００３６】
そして、板バネ４１の中央が、カム部２１ｄにより上方に移動され、板バネ４１を介して移動部材３９が、上方に移動されている。
そして、移動部材３９の突起部３９ｅが、ホットシュー１９の内壁上面１９ａに押圧され、これにより脚部１１がホットシュー１９に強固に固定される。
また、この装着状態では、板バネ４１により操作軸２１が下方に向けて押圧されるため、図１に示した支持部材３７が、脚部本体１３の挿入部１３ａの上面に押圧され、支持部材３７により操作軸２１が確実に支持される。
【００３７】
そして、この装着状態から、指掛け部２３ｃを、図４の矢符と反対方向に９０度移動すると、指掛け部２３ｃが左端に位置し、解除状態となる。
上述した閃光装置では、脚部１１のホットシュー１９への装着時に、移動部材３９の突起部３９ｅをホットシュー１９の内壁上面１９ａに押圧するようにしたので、カメラのホットシュー１９に、脚部１１を容易，確実に固定することができる。
【００３８】
また、上述した閃光装置では、操作軸２１を回動すると、操作軸２１のカム部２１ｄにより移動部材３９がホットシュー１９と反対側に、板バネ４１の付勢力に抗して移動し、突起部３９ｅがホットシュー１９の内壁上面１９ａに押圧されるため、ホットシュー１９に脚部１１を容易，確実に固定することができる。
【００３９】
さらに、上述した閃光装置では、操作軸２１の先端の嵌合部２１ｃを支持部材３７に嵌合し、支持部材３７を、板バネ４１を介して挿入部１３ａの上面に押圧状態で当接するようにしたので、操作軸２１の先端を、支持部材３７を介して、挿入部１３ａの上面に確実に支持することができる。
そして、装着状態では、操作軸２１の先端が、支持部材３７を介して、挿入部１３ａの上面に確実に支持され、また、操作軸２１のカム部２１ｄが板バネ４１により押圧されるため、操作軸２１は非常に安定した状態となり、脚部本体１３の支持部１３ｂに形成される貫通穴１３ｄと操作軸２１との嵌合精度を低くしても、脚部１１を確実に支持することが可能になる。
【００４０】
また、上述した閃光装置では、移動部材３９を導電性の金属により形成し、移動部材３９に基準電位線４２を接続したので、カメラと閃光装置とに共通の基準電位を確実に取ることができる。
また、移動部材３９、操作軸２１、脚部本体１３は、全て導電性の金属で作られており、固定状態では強い力で接しているので、電気的導通は良好であり、基準電位線を脚部本体１３から取ることも可能である。
【００４１】
なお、この理由については、後に詳細に説明する。
（第２の実施形態）
図７および図８は、本発明の閃光装置の第２の実施形態を示している。
この実施形態では、脚部１１内には、第１の移動部材３９および第２の移動部材５１が配置されている。
【００４２】
第１の移動部材３９は、上述した第１の実施形態と同様に構成されているため、第１の実施形態と同一の部材には、同一の符号を付して詳細な説明を省略する。
第２の移動部材５１は、操作軸２１Ａの回動によりホットシュー１９の内壁下面１９ｂに向けて押圧可能とされている。
【００４３】
すなわち、第２の移動部材５１は、図８に示すように、その両側を、外側部材１５の側面部１５ｂに形成される溝部１５ｉに、上下方向に移動可能に挿入されている。
第２の移動部材５１の上部には、操作軸２１Ａの第２のカム部２１ｅが挿通される矩形状の貫通穴５１ａが形成されている。
【００４４】
第２のカム部２１ｅは、操作軸２１Ａの半径に対応する直径を有する断面円形状とされており、操作軸２１Ａの半部側に偏って、第１のカム部２１ｄと反対側に位置されている。
そして、貫通穴５１ａを横切って、付勢手段である第２の板バネ５３が配置されている。
【００４５】
第２の移動部材５１の上部の両側には、保持部５１ｂが形成され、この保持部５１ｂの上面に第２の板バネ５３の両側が保持されている。
第２の移動部材５１の下部には、水平方向に間隔を置いて突出部５１ｃが形成されている。
この突出部５１ｃの先端は、ホットシュー１９の内側において外側に向けて折曲されている。
【００４６】
そして、折曲部５１ｄの下面に、ホットシュー１９の内壁下面１９ｂに向けて突出する突起部５１ｅが形成されている。
突起部５１ｅは、三角形状に形成されている。
なお、この突起部は、例えば、半円形状でも良い。
第２の移動部材５１は、導電性の金属により形成されている。
【００４７】
この実施形態の閃光装置では、解除状態では、図７および図８に示したように、操作軸２１Ａの第２のカム部２１ｅが、操作軸２１Ａの中心の側方に位置されている。
【００４８】
そして、第２の移動部材５１は、第２のカム部２１ｅにより上方に移動され、ホットシュー１９の内壁下面１９ｂと第２の移動部材５１の突起部５１ｅとの間に所定の間隙が形成されている。
従って、ホットシュー１９への脚部１１の装着を自在に行うことが可能である。
そして、この状態から、操作部材２３を９０度回動すると、ホットシュー１９への閃光装置の装着状態とされる。
【００４９】
図９および図１０は、この装着状態を示すもので、この装着状態では、操作軸２１Ａの第２のカム部２１ｅが、操作軸２１Ａの中心の下方に位置されている。
そして、板バネ５３の中央が、カム部２１ｅにより下方に移動され、板バネ５３を介して移動部材５１が、下方に移動されている。
そして、移動部材５１の突起部５１ｅが、ホットシュー１９の内壁下面１９ｂに押圧され、これにより脚部１１がホットシュー１９に強固に固定される。
【００５０】
なお、この第２の実施形態において、第１の移動部材３９の動作は、第１の実施形態と同様であるため、第１の移動部材３９の動作説明は省略する。
この実施形態の閃光装置では、第１の移動部材３９の突起部３９ｅをホットシュー１９の内壁上面１９ａに押圧し、第２の移動部材５１の突起部５１ｅをホットシュー１９の内壁下面１９ｂに押圧するようにしたので、閃光装置の脚部１１をホットシュー１９により強固に固定することができる。
【００５１】
（第３の実施形態）
図１１は、本発明の閃光装置の第３の実施形態を示している。
この実施形態では、脚部１１内には、第１の移動部材３９および第２の移動部材５１が配置されている。
なお、この第１の移動部材３９および第２の移動部材５１は、上述した第２の実施形態と同様に構成されているため、第２の実施形態と同一の部材には、同一の符号を付して詳細な説明を省略する。
【００５２】
そして、この実施形態では、操作軸２１Ｂの先端には、嵌合部２１ｃが形成され、この嵌合部２１ｃが支持部材３７に嵌合されている。
なお、支持部材３７は、上述した第１の実施形態と同様に構成されているため、第１の実施形態と同一の部材には、同一の符号を付して詳細な説明を省略する。
この実施形態の閃光装置では、図１２に示すように、閃光装置の脚部１１の装着状態では、第１の板バネ４１により操作軸２１Ｂが下方に向けて押圧され、第２の板バネ５３により操作軸２１Ｂが上方に向けて押圧される。
【００５３】
そして、支持部材３７により操作軸２１Ｂが確実に支持される。
なお、以上述べた実施形態では、移動部材３９に基準電位線４２を接続した例について説明したが、本発明はかかる実施形態に限定されるものではなく、例えば、脚部本体１３を導電性の金属により形成し、脚部本体１３の取付部１３ｃに基準電位線を接続するようにしても良い。
【００５４】
（基準電位の説明）
以下、上述した各実施形態において、カメラと閃光装置とに共通の基準電位を確実に取ることが可能になる理由について詳細に説明する。
図１３は、従来の閃光装置６１の脚部６３と、カメラ６５側のホットシュー６７を示している。
【００５５】
カメラ６５側のホットシュー６７には、カメラ６５から閃光装置６１に発光指示信号を伝達するための接点６９（Ｘ接点）の他に、カメラ６５側から様々な情報を伝達するための接点（７１，７３，７５）が配置されている。
閃光装置６１側には、それらの接点と電気的に接続するための可動ピン（７７，７９，８１）が配置されているのは周知である。
【００５６】
閃光装置６１をカメラ６５に周知の方法で取り付けると、それぞれの接点とピンが電気的に接続され、図１４に示すような回路が構成される。
この時、カメラ６５側のＸ接点６９は閃光装置６１のピン７７と接続され、カメラ６５がレリーズされた時に、閃光装置６１を発光させる指示を行う。
同様に、閃光装置６１のピン７９は、カメラ６５側の接点７１、ピン８１は接点７３と接続される。
【００５７】
閃光装置６１の脚部６３の側面の両側には、バネ８３が配置されており、カメラ６５のホットシュー６７に装着した際に、ホットシュー６７の両側面６７ａにバネ力で接触される。
バネ８３とホットシュー６７は、それぞれ閃光装置６１とカメラ６５の基準電位に接続されている。
【００５８】
ピン７９と接点７１は、クロックラインを構成し、閃光装置６１とカメラ６５がシリアル通信を行う際の基準クロックを伝達する。
また、ピン８１と接点７３は、データラインを構成し、基準クロックに同期させてデータラインをハイ（Ｈｉｇｈ）またはロウ（Ｌｏｗ）に設定することで、閃光装置６１とカメラ６５間で、シリアルデータの送信および受信を行う。
【００５９】
そして、例えば、カメラ６５から閃光装置６１に、ズームレンズの焦点距離情報が伝達され、閃光装置６１の照射角度が自動的に設定される。
以下、閃光装置６１からカメラ６５にシリアルデータを送信する場合について述べる。
図１４において、Ｅは閃光装置６１の電源であり、電流源８５，８７により、定電流Ｉ１，Ｉ２を発生させている。
【００６０】
８９は送信回路であり、その出力は、トランジスターＱ１，Ｑ２を駆動する。
トランジスターＱ１，Ｑ２のコレクターは、それぞれクロックライン９１とデータライン９３に接続されており、トランジスターＱ１，Ｑ２が導通すると、各ラインの定電流Ｉ１，Ｉ２を基準電位ＧＮＤ１に接続し、ロウレベルに設定する。
【００６１】
また、トランジスターＱ１，Ｑ２が非導通時には、各ラインはハイレベルとなる。
このようにして、閃光装置６１は、クロックライン９１とデータライン９３にデジタル信号を出力する。
その際、トランジスターＱ１，Ｑ２が導通した時に、トランジスターＱ１，Ｑ２を流れる電流Ｉａ（＝Ｉ１）とＩｂ（＝Ｉ２）は、閃光装置６１の基準電位ＧＮＤ１を通って、電源Ｅに帰還する。
【００６２】
クロックライン９１は、ピン７９、接点７１を介して電圧比較器Ｃ３に入力される。
データライン９３は、ピン８１、接点７３を介して電圧比較器Ｃ４に入力される。
この時、カメラ６５側の送信回路９５は受信状態となっており、その出力に繋がるトランジスターＱ３，Ｑ４は非導通のままの状態である。
【００６３】
クロックライン９１とデータライン９３の信号は、電圧比較器Ｃ３，Ｃ４に入力され、予め設定された比較基準電圧Ｖｒｅｆ２と比較され、比較基準電圧Ｖｒｅｆ２より高い電圧であればＨ（ハイ）、低ければＬ（ロウ）の信号として認識され、それぞれＣＬＯＣＫ２とＤＥＴＡ２に出力される。
ＣＬＯＣＫ２とＤＥＴＡ２は、その後、図示しないマイクロコンピュータで処理される。
【００６４】
次に、カメラ６５から閃光装置６１にシリアルデータを送信する場合について述べる。
カメラ６５から閃光装置６１にシリアルデータを送信する場合は、閃光装置６１側の送信回路８９は非作動状態となり、トランジスターＱ１，Ｑ２は非導通状態となる。
【００６５】
また、カメラ６５側の送信回路９５が送信状態となり、接続されたトランジスターＱ３，Ｑ４は導通と非導通を繰り返し、クロックライン９１とデータライン９３に、ハイまたはロウの信号を出力する。
閃光装置６１側の電圧比較器Ｃ１，Ｃ２は、同様の動作で、クロックライン９１とデータライン９３の電圧を、Ｈ（ハイ）またはＬ（ロウ）の信号として認識し、図示しないマイクロコンピュータで情報として処理する。
【００６６】
トランジスターＱ３，Ｑ４が導通する時、クロックライン９１とデータライン９３から電流Ｉｃ（＝Ｉ１）とＩｄ（＝Ｉ２）が、カメラ６５の基準電位ＧＮＤ２に流れる。
Ｉｃ＋Ｉｄの電流は、ホットシュー６７からバネ８３を介して閃光装置６１の電源Ｅへ帰還する。
【００６７】
従って、ホットシュー６７とバネ８３との接触抵抗Ｒには、電流Ｉｃ＋Ｉｄが流れることにより、接触電位が発生する。
閃光装置６１がカメラ６５からのシリアルデータを受信している際は、比較基準電圧Ｖｒｅｆ１は、閃光装置６１の基準電位ＧＮＤＩを基準として作動している。
【００６８】
そのために、接触抵抗Ｒが大きくなると、接触電位が高くなり、コンパレーターＣ１，Ｃ２は、ロウレベル信号をハイレベル信号として認識してしまう誤動作がおこる。
図１５は、時間とともに変化するクロックライン９１とデータライン９３の電圧の変化を示している。
【００６９】
トランジスターＱ３は、時間とともに交互に非導通（ＯＦＦ）→導通（ＯＮ）を繰り返すクロック信号を発生している。
非導通時にはＨ（ハイ）、導通時にはＬ（ロウ）の信号をクロックライン９１に発生している。
【００７０】
同様に、トランジスターＱ４は、時間とともに、例えば、導通（ＯＮ）→非導通（ＯＦＦ）→非導通（ＯＦＦ）→導通（ＯＮ）となり、信号Ｌ→Ｈ→Ｈ→Ｌをデータライン９３に送信している。
それぞれの時点、ａ→ｂ→ｃ→ｄでのクロックライン９１とデータライン９３の変化を図１５に示す。
【００７１】
時点ａにおいては、トランジスターＱ４が導通（ＯＮ）しているために、接触抵抗Ｒに電流Ｉｄ（＝Ｉ２）が流れることにより、データライン９３のロウレベルは完全には零にはならず、電圧Ｖ３（＝Ｉｄ・Ｒ＝Ｉ２・Ｒ）が発生する。
また、クロックライン９１はトランジスターＱ３が非導通（ＯＦＦ）でありハイレベルとなる。
【００７２】
時点ｂにおいては、トランジスターＱ３が導通（ＯＮ）しているために、接触抵抗Ｒに電流Ｉｃ（＝Ｉ１）が流れることにより、クロックライン９１のロウレベルは完全には零にはならず、電圧Ｖ１（＝Ｉｃ・Ｒ＝Ｉ１・Ｒ）が発生する。
また、クロックライン９１はトランジスターＱ４が非導通（ＯＦＦ）でありハイレベルとなる。
【００７３】
時点ｃにおいては、トランジスターＱ３，Ｑ４は非導通（ＯＦＦ）であるために接触抵抗Ｒは無関係であり、クロックライン９１とデータライン９３はハイレベルである。
時点ｄにおいては、トランジスターＱ３，Ｑ４がともに導通（ＯＮ）しているために、接触抵抗ＲにＩｃ＋Ｉｄ（＝Ｉ１＋Ｉ２）の電流が流れることにより、クロックライン９１とデータライン９３のレベルは完全には零にはならず、電圧Ｖ２（＝（Ｉｃ＋Ｉｄ）・Ｒ＝（Ｉ１＋Ｉ２）・Ｒ）が発生する。
【００７４】
図１５では、接触抵抗Ｒが小さく、流れる電流Ｉ１，Ｉ２、あるいは、Ｉ１＋Ｉ２によって発生する電圧が、比較基準電圧Ｖｒｅｆ１より小さいため、コンパレーターＣ１，Ｃ２はロウレベルの検出を誤認することはない。
【００７５】
しかしながら、接触抵抗Ｒが大きくなり、Ｉ１・Ｒ，Ｉ２・Ｒ、あるいは、（Ｉ１＋Ｉ２）・Ｒが比較基準電圧Ｖｒｅｆ１より大きくなると、ロウレベルの信号をハイレベルの信号と誤認識してしまう。
そして、この場合には、カメラ６５から閃光装置６１へのシリアル通信が不可能となる。
【００７６】
接触抵抗Ｒは、バネ８３とホットシュー６７との接触状態によって変化する。
バネ８３の押圧力が大きい場合は、接触抵抗Ｒは小さく、押圧力が小さくなると接触抵抗Ｒは大きくなる。
また、バネ８３とホットシュー６７の表面のメッキの種類や表面の酸化状態によっても大きく変化する。
【００７７】
さらに、閃光装置６１をカメラ６５に繰り返し装着することによる摩耗によって、しばしば接触抵抗Ｒが増大し、カメラ６５から閃光装置６１へのシリアル通信不能が発生する。
図１４の例では、閃光装置６１がトランジスターＱ１，Ｑ２をＯＮ，ＯＦＦ動作させてカメラ６５に送信している際には、トランジスターＱ１，Ｑ２を流れる電流Ｉａ，Ｉｂは接触抵抗Ｒを流れることはないので、シリアル通信不能は発生しない。
【００７８】
しかしながら、図１４では、クロックライン９１とデータライン９３の電流源８５，８７が閃光装置６１側に配置されている。
この場合、前述の通り、カメラ６５から閃光装置６１にシリアル通信する際に、信号電流が接触抵抗Ｒを流れることにより、シリアル通信不能の問題が発生する。
なお、カメラ６５にクロックライン９１とデータライン９３の電流源を配置した場合には、逆に閃光装置６１からカメラ６５にシリアル通信する際に、接触抵抗Ｒの問題が発生する。
【００７９】
しかしながら、本発明では、閃光装置６１の脚部６３に配置される移動部材３９の突起部３９ｅが、ホットシュー１９の内壁面に強い圧力で食い込むように接触する。
従って、機械的に強固な固定が可能になるだけでなく、例え電気的抵抗の高い酸化皮膜が存在していても皮膜を破り良好な接触を得ることができる。
【００８０】
この結果、接触抵抗Ｒが下がることで、シリアル通信に支障をきたすことがなくなる。
【００８１】
【発明の効果】
以上述べたように、請求項１の閃光装置では、脚部のホットシューへの装着時に、移動部材の突起部をホットシューの内壁面に押圧するようにしたので、カメラのホットシューに、脚部を容易，確実に固定することができる。
また、請求項１の閃光装置では、移動部材を導電性の金属により形成し、移動部材に基準電位線を接続したので、カメラと閃光装置とに共通の基準電位を確実に取ることができる。
【００８２】
請求項２の閃光装置では、操作軸を回動すると、操作軸の変位部により移動部材がホットシューと反対側に、付勢手段の付勢力に抗して移動し、突起部がホットシューの内壁上面に押圧されるため、ホットシューに脚部を容易，確実に固定することができる。
請求項３の閃光装置では、操作軸の先端を、支持部材を介して、挿入部の上面に確実に支持することができる。
【００８３】
請求項４の閃光装置では、操作軸を回動すると、操作軸の変位部により移動部材がホットシュー側に移動し、突起部がホットシューの内壁下面に押圧されるため、ホットシューに脚部を容易，確実に固定することができる。
【図面の簡単な説明】
【図１】本発明の閃光装置の第１の実施形態の解除状態を示す断面図である。
【図２】図１の移動部材およびこの近傍の解除状態を示す断面図である。
【図３】図１の支持部材およびこの近傍を示す断面図である。
【図４】図１の操作部材およびこの近傍を示す正面図である。
【図５】図１の装着状態を示す断面図である。
【図６】図１の移動部材およびこの近傍の装着状態を示す断面図である。
【図７】本発明の閃光装置の第２の実施形態の解除状態を示す断面図である。
【図８】図７の第２の移動部材およびこの近傍の解除状態を示す断面図である。
【図９】図７の装着状態を示す断面図である。
【図１０】図７の第２の移動部材およびこの近傍の装着状態を示す断面図である。
【図１１】本発明の閃光装置の第３の実施形態の解除状態を示す断面図である。
【図１２】図１１の装着状態を示す断面図である。
【図１３】従来の閃光装置およびホットシューを示す斜視図である。
【図１４】閃光装置とカメラとの通信回路を示す回路図である。
【図１５】図１４のクロックラインとデータラインの電圧の変化を示す説明図である。
【符号の説明】
１１  脚部
１３  脚部本体
１３ａ  挿入部
１３ｂ  支持部
１５  外側部材
１７  操作手段
１９  ホットシュー
１９ａ  内壁上面
１９ｂ  内壁下面
２１  操作軸
２１Ａ  操作軸
２１Ｂ  操作軸
２１ｃ  嵌合部
２１ｄ  カム部
２３  操作部材
３７  支持部材
３９  移動部材
３９ｅ  突起部
４１  板バネ
４２  基準電位線
５１  第２の移動部材
５１ｅ  突起部
【図１】
0004622108.tif 000002
【図２】
0004622108.tif 000003
【図３】
0004622108.tif 000004
【図４】
0004622108.tif 000005
【図５】
0004622108.tif 000006
【図６】
0004622108.tif 000007
【図７】
0004622108.tif 000008
【図８】
0004622108.tif 000009
【図９】
0004622108.tif 000010
【図１０】
0004622108.tif 000011
【図１１】
0004622108.tif 000012
【図１２】
0004622108.tif 000013
【図１３】
0004622108.tif 000014
【図１４】
0004622108.tif 000015
【図１５】
0004622108.tif 000016